(57)【要約】【課題】視力回復等の訓練の結果を容易に確認することができるようにする。【解決手段】表示装置４Ｌ，４Ｒに左、右の接眼レンズ１１，１２を介して目視すべき所定画像を表示させ、位置変更装置１０によって接眼レンズ１１，１２に対して所定画像を相対的に移動させて視力回復訓練を可能にし、訓練後、表示装置４Ｌ，４Ｒに所定画像の代わりに視力検査用画像を表示させて、視力回復検査をできるようにした。【選択図】図１
2008036086.tif 000002
【特許請求の範囲】
【請求項１】
接眼レンズを介して目視すべき眼の訓練用の所定画像を表示する表示手段と、
複数の種類の前記視力検査用画像を記憶する記憶手段と、
前記表示手段に前記所定画像の代わりに視力検査用画像を表示させる表示制御手段と
を備えていることを特徴とする眼の訓練装置。
【請求項２】
前記表示制御手段は、前記表示手段に前記所定画像を表示させる前に訓練前視力検査用画像を表示させることを特徴とする請求項１記載の眼の訓練装置。
【請求項３】
前記表示制御手段は、眼の訓練後に表示される前記視力検査画像と前記訓練前視力検査用画像とは異なる画像を表示させることを特徴とする請求項２記載の眼の訓練装置。
【請求項４】
前記表示制御手段は、眼の訓練後に表示される視力検査画像に対し前記訓練前視力検査用画像の一部を変化させた画像を表示させることを特徴とする請求項３記載の眼の訓練装置。
【請求項５】
前記視力検査用画像は、前記記憶手段に記憶された複数の種類の前記視力検査用画像から無作為に選択されたものであることを特徴とする請求項１記載の眼の訓練装置。
【請求項６】
前記接眼レンズの光軸方向へ前記所定画像を移動させる移動手段を備えることを特徴とする請求項１〜５のいずれか１項記載の眼の訓練装置。
【発明の詳細な説明】
【技術分野】
【０００１】
この発明は視力回復や眼疲労回復を目的とした訓練に用いられる眼の訓練装置に関する。
【背景技術】
【０００２】
従来、この種の眼の訓練装置として、左右の接眼レンズと、眼の訓練用の画像を表示する１つの画像表示部と、この画像表示部からの光を左右の接眼レンズに導く光学系と、ユーザが目視している画像表示部の像の位置を所定方向（光軸方向や輻輳方向）へ変更する位置変更部とを備えているものがある（下記特許文献参照）。位置変更部は光学系と接眼レンズとを結ぶ光路上に配置されている。
【０００３】
左右の接眼レンズを通してユーザが目視している画像表示部の像の位置を変えることによって、ユーザの毛様体筋の運動を促すことができる。
【特許文献１】特開２００５−３３４１３４号公報
【発明の開示】
【発明が解決しようとする課題】
【０００４】
上記眼の訓練装置では視力回復等を目的とした訓練を行うことができるに止まり、訓練の結果（視力回復の度合等）を確認することはできなかった。
【０００５】
それを確認するには場所や時間を変えて視力検査を行う必要があるが、それはユーザにとって煩雑であるため、訓練の結果を容易に確認することは実際上難しかった。
【０００６】
この発明はこのような事情に鑑みてなされたもので、その課題は視力回復等を目的とした眼の訓練の結果を容易に確認することができるようにすることである。
【課題を解決するための手段】
【０００７】
前述の課題を解決するためこの発明の眼の訓練装置は、接眼レンズを介して目視すべき眼の訓練用の所定画像を表示する表示手段と、複数の種類の前記視力検査用画像を記憶する記憶手段と、前記表示手段に前記所定画像の代わりに視力検査用画像を表示させる表示制御手段とを備えていることを特徴とする。
【発明の効果】
【０００８】
この発明によれば、視力回復等を目的とした眼の訓練の結果を容易に確認することができる。
【発明を実施するための最良の形態】
【０００９】
以下、この発明の実施の形態を図面に基づいて説明する。
【００１０】
図１はこの発明の第１実施形態に係る眼の訓練装置の構成を示す概念図、図２は図１に示す眼の訓練装置の平面図、図３は視力検査用画像の一例を示す面図、図４は視力検査用画像の他の例を示す図である。
【００１１】
図１に示すように、眼の訓練装置１は、第１の左接眼レンズ（接眼レンズ）２と、第１の右接眼レンズ（接眼レンズ）３と、眼の訓練用のターゲットの画像を表示する左右２つの表示装置（表示手段）４Ｌ，４Ｒと、位置変更装置（移動手段）１０を備える。
【００１２】
左の表示装置４Ｌは第１の左接眼レンズ２の光軸上に位置する。右の表示装置４Ｒは第１の右接眼レンズ３の光軸上に位置する。表示装置４Ｌ，４Ｒとしては、例えば小型液晶ディスプレイが用いられる。
【００１３】
位置変更装置１０は左右の表示装置４Ｌ，４Ｒと第１の左、右接眼レンズ２，３との間に設けられ、ユーザにより目視される表示装置４Ｌ，４Ｒの像の位置をユーザの眼の光軸方向と輻輳方向とに変更する。
【００１４】
位置変更装置１０は第２の左接眼レンズ（接眼レンズ）１１と第２の右接眼レンズ（接眼レンズ）１２と左外装部１３と右外装部１４と外装部１９とを備える。第２の左接眼レンズ１１は左外装部１３内に収容されている。第２の右接眼レンズ１２は右外装部１４内に収容されている。左外装部１３及び右外装部１４は外装部１９内にその長手方向へ移動可能に収容されている。左外装部１３には左カムピン１５が取り付けられ、右外装部１４には右カムピン１６が取り付けられている。左カムピン１５は眼の訓練装置１の筐体１ａに形成されたカム溝１７に係合して図１の矢印ｂの方向へ案内される。右カムピン１６は眼の訓練装置１の筐体１ａに形成されたカム溝１８に係合して図１の矢印ｃの方向へ案内される。
【００１５】
外装部１９にはガイドバー２５，２６が取り付けられている。ガイドバー２５，２６は第１の左、右接眼レンズ２，３の光軸方向ａへ伸びている。ガイドバー２５，２６はそれぞれ軸受２７に光軸方向ａへ移動可能に支持されている。外装部１９が光軸方向ａへ移動すると、第２の左、右対物レンズ１１，１２は矢印ｂ，ｃ方向に沿って移動する。このように、第２の左、右対物レンズ１１，１２の光軸方向ａの位置がシフトするため、第２の左、右接眼レンズ１１，１２はシフトレンズを構成する。
【００１６】
第２の左、右接眼レンズ１１，１２の位置はホール素子２１Ａ〜２１Ｃ及び図示しないマグネットとの位置関係によって検出される。図１において、第２の左、右接眼レンズ２，３が実線で示されている位置を、第２の左、右接眼レンズ１１，１２のイニシャライズ位置（初期位置）とし、その前後に破線で示されている位置を第２の左、右接眼レンズ１１，１２のリミット位置とする。
【００１７】
このように、第２の左、右接眼レンズ１１，１２を移動させることにより、第１の左、右接眼レンズ２，３を介してユーザにより目視される表示装置４Ｌ，４Ｒに表示される画像の位置を、光軸方向ａと輻輳方向ｂ，ｃとへ移動させることができる。
【００１８】
更に、眼の訓練装置１は制御回路２２を有する。制御回路２２の下方に位置変更装置１０が配置されている。位置変更装置１０は、第２の左、右接眼レンズ１１，１２の位置を制御する位置制御部（図示せず）と、表示装置４Ｌ，４Ｒに視力回復訓練用の画像（所定画像）の代わりに視力検査用画像を表示させる表示制御部１０２とを有する。位置制御部はホール素子２１Ａ〜２１Ｃの状態を検知して位置変更装置１０の駆動部２０を駆動制御する。
【００１９】
表示制御部１０２はメモリ１０２ａを有する。メモリ１０２ａは複数の眼の訓練用の画像（所定画像）と複数の視力検査用画像（図３、４参照）とを記憶する。表示制御部１０２はメモリ１０２ａに記憶された複数の視力検査画像の中から特定の視力検査画像を選択し、この特定の視力検査画像を眼の訓練後、眼の訓練用画像の代わりに表示装置４Ｌ，４Ｒに表示させる。複数の視力検査画像の中には眼の訓練の前に実施される視力検査用の訓練前視力検査画像が含まれる。
【００２０】
図２に示すように、筐体１ａの上面には、電源をオン／オフする電源ボタン３１、視力回復訓練をスタート／ストップさせるスタートボタン３２、表示画面等を選択するモードボタン３３、眼の訓練用画像の表示をオン／オフするボタン３４、表示装置３５が設けられている。
【００２１】
次に、眼の訓練装置１の動作を説明する。
【００２２】
電源ボタン３１を押して電源をオンにし、スタートボタン３２を押すと、第２の左、右接眼レンズ１１，１２が光軸方向ａに沿って往復運動（ユーザに対して近寄ったり、離れたりする運動）し、同時に表示装置４Ｌ，４Ｒが互いに左右方向で近づいたり、離れたりする運動（輻輳方向の運動）をする（表示装置４Ｌ，４Ｒの画像としては１つに見える）。
【００２３】
画像は眼のピントからがずれるように前後（遠近）方向及び輻輳方向へ移動するが、この画像をピントがずれないように、決められた時間、眼で追うことにより、視力回復訓練を行うことができる（但し、年齢や個人差により回復訓練の効果には差がある）。
【００２４】
視力回復訓練の前にボタン３４を押すと、視力検査用画像（訓練前視力検査用画像）がオン／オフされる。この視力検査用画像（例えば図３，４に示す画像）で視力回復訓練前の視力を確認しておく。
【００２５】
又、視力回復訓練前に視力検査用画像の表示は、視力回復訓練を開始する為の電源をオンにする動作に連動し、自動的に表示させてもよい。
【００２６】
視力回復訓練の後にボタン３４を押すと、自動的に再度視力検査用画像がオン／オフされる。この視力検査用画像（例えば図３，４に示す画像）で視力回復訓練後の視力を確認する。
【００２７】
そして、視力回復訓練の前後の視力の差（例えば図３，４の画像中のどの列までの記号を判別できたか）によって視力回復訓練の効果を確認する。
【００２８】
訓練後の視力検査用画像の表示はユーザのボタン３４の押圧によってもよい。
【００２９】
視力回復訓練前の視力検査用画像と、視力回復訓練後の視力検査用画像とでは、視力検査用画像の表示内容（例えば図３，４中の矢印で示すマークの向き）の全て又は一部が制御回路２２によってランダムに変化する。こうすることにより、視力回復訓練前に確認した視力検査用画像の表示内容を記憶することによって視力検査が不正確になる弊害を除去する。
【００３０】
また、各個人差（年齢、視力の差、疲労具合）に対応できるように、モードボタン３３によって視力検査用画像の種類（記号、文字、絵柄等）、背景の明るさ、表示色や、視力回復訓練の時間（短：２分、標準：５分、長：１０分等）や、訓練時間の経過を知らせるチャイムの有、無等を選択できる。何を選択したかは表示装置３５で確認できる。
【００３１】
以上のように、視力回復訓練の前後に、視力検査用画像で視力を確認することにより、眼の訓練装置による視力回復効果を容易に確認することができる。
【００３２】
また、視力検査用画像を記憶することによる検査の不正確さを除去できる。
【００３３】
図５はこの発明の第２実施形態の係る眼の訓練装置の構成を示す概念図である。
である。
【００３４】
第１実施形態と共通する部分については同一符号を付してその説明を省略する。以下、主な相違部分についてだけ説明する。
【００３５】
第１実施形態の眼の訓練装置１では、第２の左、右接眼レンズ１１，１２を光軸方向ａ及び輻輳方向へ移動させるようにしたが、図５に示すように、第２実施形態の眼の訓練装置２０１では、表示装置２０４Ｌ、２０４Ｒを光軸方向ａに移動させるようにし、第２の左、右接眼レンズ２１１，２１２を固定した。
【００３６】
表示装置２０４Ｌ，２０４Ｒは外装部２１９内にその長手方向へ移動可能に収容されている。外装部２１９にはガイドバー２２５，２２６が取り付けられている。ガイドバー２２５，２２６は第１の左、右接眼レンズ２，３の光軸方向ａへ伸びている。ガイドバー２２５，２２６はそれぞれ軸受２２７に光軸方向ａへ移動可能に支持されている。
【００３７】
また、眼の訓練装置２０１は、第１実施形態と同様に、表示装置２０４Ｌ，２０４Ｒを輻輳方向へ移動させるためのカム機構（図示せず）を備えている。
【００３８】
外装部２１９は位置変更装置２１０の駆動部２２０によって光軸方向ａへ駆動される。
【００３９】
第２実施形態によれば、第１実施形態と同様の効果を得ることができる。
【００４０】
図６はこの発明の第３実施形態の係る眼の訓練装置の構成を示す概念図である。
である。
【００４１】
第１実施形態と共通する部分については同一符号を付してその説明を省略する。以下、主な相違部分についてだけ説明する。
【００４２】
第１実施形態の眼の訓練装置１は２つの表示装置４Ｌ，４Ｒを備えているが、第３実施形態の眼の訓練装置３０１は１つの表示装置３０４のみ備える。
【００４３】
第３実施形態では、表示装置３０４に表示された画像を第１の左、右接眼レンズ２，３に分岐して導くために、左、右反射ミラー５，６、中央反射ミラー７、ハーフミラー８を備える。また、左反射ミラー５と第１の左接眼レンズ２との間には、ダミーガラス９が配置されている。ダミーガラス９は、表示装置３０４から第１の左接眼レンズ２までの光路長と、表示装置３０４から第１の右接眼レンズ３までの光路長とを等しくするための光学素子である。
【００４４】
第３実施形態によれば、第１実施形態と同様の効果を得ることができるとともに、高価な表示装置を一つ省略できるので、その分製造コストを低減することができる。
【００４５】
なお、上述の実施形態では、表示装置の画像を前後（遠近）方向と輻輳方向へ移動できるようにしたが、画像を前後方向にだけ動かしてもよいし、画像を輻輳方向にだけ動かしてもよい。
【００４６】
また、上述の各実施形態の眼の訓練装置１，２０１，３０１は第１、第２の左接眼レンズ２，１１と第１、第２の右接眼レンズ３，１２とを備えるが、一方の第１、第２接眼レンズだけでもよい。
【００４７】
なお、第１の左、右接眼レンズ２，３は省略することも可能である。
【００４８】
また、必ずしも視力回復訓練の前に視力検査用画像を表示して訓練する必要はない。
【００４９】
なお、視力検査用画像を視力回復訓練の前後に表示する場合、必ずしも視力回復訓練の後に表示する視力検査用画像を視力回復訓練の前に表示した視力検査用画像と異ならせる必要はない。
【００５０】
また、第１実施形態では、視力検査用画像の表示内容の全てを制御回路２２によってランダムに変化させるようになっているが、視力検査用画像の表示内容の一部を制御回路２２によってランダムに変化させるようにしてもよい。
【００５１】
なお、視力検査画像の表示内容を変化させる代わりに、複数の種類の視力検査用画像（各種類ごとに複数の視力検査用画像が用意されている）を記憶するメモリ（記憶手段）を制御回路２２に備え、視力検査用画像単位で変化させるようにしてもよい。
【００５２】
この場合、メモリに記憶された複数の種類の視力検査用画像の中から制御回路２２によって無作為に視力検査用画像を選択するようにするとよい。
【図面の簡単な説明】
【００５３】
【図１】図１はこの発明の第１実施形態に係る眼の訓練装置の構成を示す概念図である。
【図２】図２は図１に示す眼の訓練装置の平面図である。
【図３】図３は視力検査用画像の一例を示す面図である。
【図４】図４は視力検査用画像の他の例を示す図である。
【図５】図５はこの発明の第２実施形態の係る眼の訓練装置の構成を示す概念図である。
【図６】図６はこの発明の第３実施形態の係る眼の訓練装置の構成を示す概念図である。
【符号の説明】
【００５４】
１，２０１，３０１：眼の訓練装置、２：第１の左接眼レンズ、３：第１の右接眼レンズ、１１：第２の左接眼レンズ、１２：第２の右接眼レン、４Ｌ，４Ｒ，２０４Ｌ，２０４Ｒ，３０４：表示装置（表示手段）、１０，２１０：位置変更装置（移動手段）、２２：制御回路、１０２：表示制御部、１０２ａ：メモリ（記憶手段）。
【図１】
2008036086.tif 000003
【図２】
2008036086.tif 000004
【図３】
2008036086.tif 000005
【図４】
2008036086.tif 000006
【図５】
2008036086.tif 000007
【図６】
2008036086.tif 000008